(57)【特許請求の範囲】
【請求項１】
空気を注入して膨らませた球形中空体のゴム製ブラダーと、ブラダーの互いに直交する３つの軸の各々の周りに、ブラダーの両側端球面部分を除いてその中央球面部分に、接着剤を含侵させた細幅の布テープを巻いて形成された布テープ巻き補強層と、を含み、前記布テープは、ゴム製ブラダーの１軸当たり２層の補強層を形成するようにゴム製ブラダーにテープ幅の１／２だけ重ねて巻かれ、
前記布テープ巻き補強層が、ゴム製ブラダーのほぼ球面全体にわたって互いに直交状態の布テープの重なり層として形成されている布テープ巻きボール、該布テープ巻きボールを加硫成形した後該ボールの布テープ巻き補強層上に接着剤により表皮パネルを貼着してなる運動用ボール。
【請求項２】
布テープは、幅がゴム製ブラダーの直径の約１０％に切り揃えられたものからなる、請求項１に記載の運動用ボール。
【発明の詳細な説明】
【技術分野】
【０００１】
本発明は、サッカーボール、バスケットボール、バレーボール、ハンドボールのような運動用ボール、特に布巻きの運動用ボールに関する。
【背景技術】
【０００２】
従来、競技用ボールを含む運動用ボールとしては、空気を充填した中空球状ゴム製ブラダーの表面に隙間なく布片をラテックス接着剤にて貼着し、或いはゴム製ブラダーの表面に合成繊維糸を巻きながらラテックス接着剤溶液にて貼着して補強層を形成し、それを加硫成型してから、その表面全体に表皮パネルを接着してなるものや、特開昭５８−２９１１２号公報（特許文献１）に開示されているように、パラフインのような脆性材料で形成された中空球体の表面に二重に貼着した布片で布袋を形成し、布片の一部を裁って中空球体を取り出し、布袋の中にゴム製ブラダーを内装してバラダー内に空気を充填して後、布片の重なり部分の境界線上にゴム板を貼着し、該ゴム板が加硫成型により突条として形成され、その突条に沿って表皮を貼着してなるものが知られている。
【０００３】
これらのうち、前者は糸巻によりブラダーを保護してボール強度を向上させる利点を有し、後者は、ブラダー外面とブラダーの入っている布袋の内面とが遊離しているため、外からの衝撃を吸収し易い、といった利点を有する。
【０００４】
しかし、前者は、ブラダーと糸巻補強層と表皮とが三重に重なった状態で接着されているためボールの触感が硬く、衝撃力が大きく、又後者はブラダーとブラダーの入っている布袋とが遊離しているため、ボールの触感が柔らかいが、布袋の製作には複雑な工程を要し生産能率が悪い。
【０００５】
また、空気を注入して膨らませた球形中空体のゴム製ブラダーの外周面に布テープを無秩序に巻いて接着し、その外周面に表ゴムを貼着して、全体を加熱加硫してなる競技用ボールが実公昭３６−３１１３２号公報（特許文献１）に開示されている。このボールは、布テープをゴム製ブラダーの外周面に巻いて貼着する構成であるから、糸巻きや布張りのものに比べて生産性がよいが、ブラダーに無秩序に巻いて貼着された布テープは、布組織の方向性が失われているため、ボールに衝撃が加えられたとき、その衝撃力を緩和する機能を失い、糸巻の場合と同様に触感が硬いと言った欠点を有していた。この先行技術では、表ゴムを含む全体が加熱加硫されるため硬い触感が一層助長される。
【０００６】
【特許文献１】特開昭５８−２９１１２号公報
【特許文献２】実公昭３６−３１１３２号公報
【発明の開示】
【発明が解決しようとする課題】
【０００７】
本発明の目的は、ボールの衝撃によって受ける痛さを緩和し、ボールの触感が柔らかい柔軟性に富んだ運動用ボール、特に布巻きの運動用ボールを提供するにある。
【課題を解決するための手段】
【０００８】
本発明の上記目的は、空気を注入して膨らませた球形中空体のゴム製ブラダーと、ブラダーの互いに直交する３つの軸の各々の周りに、ブラダーの両側端球面部分を除いてその中央球面部分に、接着剤を含侵させた細幅の布テープを巻いて形成された布テープ巻き補強層と、を含み、前記布テープは、ゴム製ブラダーの１軸当たり２層の補強層を形成するようにゴム製ブラダーにテープ幅の１／２だけ重ねて巻かれ、前記布テープ巻き補強層が、ゴム製ブラダーのほぼ球面全体にわたって互いに直交状態の布テープの重なり層として形成されている布テープ巻きボール、該布テープ巻きボールを加硫成形した後該ボールの布テープ巻き補強層上に接着剤により表皮パネルを貼着してなる運動用ボールを提供することによって達成される。
【０００９】
本発明によれば、布テープは、綿、又はポリエステル、又は綿とポリエステルの混紡布、又は麻、又は麻とポリエステルの混紡布からなるのがよい。布テープは、幅がゴム製ブラダーの直径の約１０％に切り揃えられたものからなるのがよい。
【００１０】
本発明の好ましい実施形態では、表皮パネルは、発泡スポンジ層で裏打ちされたウレタン層からなるのがよい。
【図面の簡単な説明】
【００１１】
【図１】本発明による運動用ボールの一部切除した全体の外観斜視図である。
【図２】図１に示す本発明による運動用ボールの断片的な拡大断面図である。
【図３】本発明による運動用ボールの布テープ巻きボールの斜視図である。
【図４】布テープ巻きボールの正面図である。
【発明を実施するための最良の形態】
【００１２】
図１は、本発明による運動用ボール１の外観図であって、一部切除して示すように、ボール芯部としてのゴム製ブラダー２と、ゴム製ブラダー２を補強する布テープ巻き補強層３と、補強層に貼着された表皮パネル４と、を含む。
【００１３】
詳細には、ゴム製ブラダー２は、空気を注入して膨らませた球形中空体からなり、布テープ巻き補強層３は、ブラダー２の互いに直交する３つの軸Ｘ，Ｙ，Ｚの各々の周りに、ブラダーの両側端球面部分５を除いてその中央球面部分６に、接着剤を含侵させた細幅の布テープ７を巻いてそこに貼着させることによって形成される。
【００１４】
この構成では、各軸に関してゴム製ブラダーの両側端球面部分５は、次々と直交する軸周りに巻かれる布テープ７によって被覆されるから、前記布テープ巻き補強層３は、布テープ７がゴム製ブラダー２のほぼ球面全体にわたって互いに直交した重なり層として形成される。布テープの布テープ７は、１軸当たり一層として巻かれるが、図２に示すように、テープ幅の１／２だけ重ねて巻かれるから２層の補強層を形成し、したがって、互いに直交する布テープの重なり層は４層の補強層を形成することになる。
【００１５】
勿論、布テープが３つの軸周りに巻かれる関係から、それぞれ互いに隣接する３つの上記側球面部分５によって囲まれた部分は布テープ巻きが三層（上記のテープの重ね巻きからして６層）となるが、球面全体からみれば僅かな部分でありボールの真球性に影響を及ぼすほどのものではない。かくして、ゴム製ブラダーに布テープが方向性をもって整然と巻かれて形成された布テープ巻きボール８が得られる。
【００１６】
布テープ７は、綿、又はポリエステル、又は綿とポリエステルの混紡布、又は麻、又は麻とポリエステルの混紡布からなり、幅がゴム製ブラダー２の直径（約２０cm）の約１０％に切り揃えられたものであるのがよい。布テープ幅をゴム製ブラダーの直径の１０％以上に広くすると、巻き付ける際にゴム製プラダーの球面に沿い難くなって凹凸が発生し易くなり、また１０％以下に狭くすると、布テープの継ぎ目が多くなり、表皮パネルを貼着する際にミラースルーと言われる凹凸が発生し易くなる。したがって、これらの理由から上記のような幅寸法とした。
【００１７】
布テープに含侵させる接着剤は、天然ラテックスゴム系やウレタンゴム系の水性接着剤であるのが好ましい。
【００１８】
次いで、布テープ巻きボール８を金型に入れて常法に従って加硫成形する。加硫済みの布テープ巻きボール７の補強層３の外周面には接着剤を用いて表皮パネル４が貼着されて本発明による運動用ボールが提供される。表皮パネル４は、好ましくは、発泡スポンジ層で裏打ちされたウレタン層からなるのがよい。このような柔らかい表皮パネルの使用により、ボールの耐久性と反発性を確保するために補強層の耐久性を引き出し、またゴム製ブラダーの反発性を引き出すことができる。表皮パネル４を補強層に貼着するための接着剤としては、クロロピレン系や天然ラテックスゴム系、ウレタン系等ものがよい。
【００１９】
本発明による運動用ボールは上記のように構成されているので、反発性が高く耐久性に富んだボールを提供することができるとともに、細幅の布テープがゴム製ブラダーの略全体に直交して整然と巻いて貼着されているから、布テープの布組織の方向性が維持されているため、ボールに衝撃が加えられたとき、その衝撃力を緩和する機能を発揮し、あたかも布巻きの場合と同様に柔らかい触感が得られる。
【符号の説明】
【００２０】
１  運動用ボール
２  ゴム製ブラダー
３  補強層
４  表皮パネル
５  両側端球面部分
６  中央球面部分
７  布テープ
８  布テープ巻きボール
【図１】
0005535785.tif 000002
【図２】
0005535785.tif 000003
【図３】
0005535785.tif 000004
【図４】
0005535785.tif 000005